(57)【要約】【課題】検体が入っているカセットを高温溶融パラフィン処理した後、高温の状態にあっても、ピンセットにより蓋を容易に且つ安全に開けられる医療検査用カセットを提供する。【解決手段】カセット本体１の側壁上部に設けられた係止部Ａ６と蓋の裏面に垂設された係止部Ｂ１１とが係合した状態から、この係合状態を解除し、蓋２を開けるには、蓋２の突縁部１０に設けられたピンセット操作孔１２にピンセットの先端部１２ａを挿入し、矢印で示した方向に僅かの力を作用させることにより、係合部Ｂ１１は２点鎖線で示したように変形（１１ａで示す）して係合部Ａ６から離脱する。かくして、カセットが冷却されるまで待つことなく、まだ熱い段階で蓋を容易に且つ安全に開き次の工程に進むことが出来るので、作業性が向上する。【選択図】    図４
2004279243.tif 000002
【特許請求の範囲】
【請求項１】
カセット本体と蓋とを具備してなり、前記カセット本体が上面を開放し、多数の透孔を有し、検体を収容し得る方形の容器からなり、前記蓋が多数の透孔を有してなり、前記蓋と前記カセット本体とが係合手段により着脱自在に取り付けられてなる医療検査用カセットにおいて、前記係合手段の少なくとも１つが、前記カセット本体の側壁上部に設けられた係止部Ａと前記蓋の裏面に垂設された係止部Ｂとからなり、該蓋の係止部Ｂの外側に、ピンセット操作孔を設けたことを特徴とする医療検査用カセット。
【請求項２】
カセット本体と蓋とを具備してなり、前記カセット本体が上面を開放し、多数の透孔を有し、検体を収容し得る方形の容器からなり、前記蓋が多数の透孔を有してなり、前記蓋と前記カセット本体とが係合手段により着脱自在に取り付けられてなる医療検査用カセットにおいて、前記係合手段の少なくとも１つが、前記カセット本体の側壁上部に設けられた係止部Ａと前記蓋の裏面に垂設された係止部Ｂとからなり、該係止部Ａと係止部Ｂとが係合した状態において係止部Ａ、Ｂ間にピンセット挿入孔を有するとともに、前記挿入孔に連通するピンセット操作孔を前記蓋に設けたことを特徴とする医療検査用カセット。
【請求項３】
ピンセット操作孔とピンセット挿入孔とが、実質的に面一に構成されている請求項２記載の医療検査用カセット。
【請求項４】
係合手段が設けられている側の反対側に、ピンセット押さえ孔が設けられている請求項１〜３のいずれか１項に記載の医療検査用カセット。
【請求項５】
カセット本体が複数の小室に区画されている請求項１〜４のいずれか１項に記載の医療検査用カセット。
【請求項６】
蓋及び／又はカセット本体が耐薬品性の透明材料からなる請求項１〜５のいずれか１項に記載の医療検査用カセット。
【請求項７】
透明材料がポリプロピレン樹脂である請求項１〜６のいずれか１項に記載の医療検査用カセット。
【請求項８】
透明材料がポリエステル樹脂である請求項１〜６のいずれか１項に記載の医療検査用カセット。
【発明の詳細な説明】
【０００１】
【発明の属する技術分野】
本発明は、医療検査用顕微鏡標本の作成に使用する医療検査用カセットに関し、更に詳しくは、標本作成の工程中において、医療検査用カセットの蓋をピンセットを利用して容易に且つ確実に開くことのできる、作業性の良好な医療検査用カセットに関する。
【０００２】
【従来の技術】
従来、この種の医療検査用カセットは、耐薬品性合成樹脂からなるカセット本体と蓋とを具備してなるものであり、カセット本体は、上面を開放した方形の容器であって、その底部に多数の透孔を有し、且つ対向する一側壁の外側に係止部を有し、また、前記カセット本体に被着される蓋は、多数の透孔を有する板状体からなり、その裏面の前記係止部に対応する位置に、係脱可能に係合する舌片状係止部を垂設してなる（例えば特許文献１参照）。
【０００３】
また、カセット本体と蓋とが多数の透孔を有する等の基本的なところについては、上記文献１と同様の構成要素を具備したうえ、カセット本体の短辺側の一側壁の外側には係止部及び係止溝を設け、該カセット本体に嵌合される蓋には、カセット本体よりも僅かに大きめの突縁部を有するとともに、前記係止部及び係止溝に係脱可能な係止片及び傾斜状係止片を設けてなるカセットも提案されている（例えば特許文献２参照）。
【０００４】
そして、該カセットの利用の際には、被検者から採取した検体は、カセット本体内に収容して蓋を取付け、被検者の氏名等を記録しておく。検体は、以後、水洗、アルコールによる脱水、キシレン処理が施された後、パラフィンに包埋させて、いわゆるカセットブロックとし、これをアダプターで固定してスライスし、顕微鏡標本を作成するものである。
【０００５】
【特許文献１】
登録実用新案第２５４７４１０号公報（第１図、第２図）
【特許文献２】
特開２００１−３２４４２８公報（図２）
【０００６】
【発明が解決しようとする課題】
ところで、実際の顕微鏡標本作成の現場においては、上記したキシレン処理の工程が終了した後、検体をパラフィンに包埋させる前に、検体が収容されたカセットに高温溶融状態のパラフィンを透過させ、検体とパラフィンとの親和性を高めるという前処理工程があり、この工程が終了した後に、カセットの蓋を開いて検体を取り出し、パラフィン包埋工程に移る。
【０００７】
この検体取りだし工程の作業は、従来から人手によって行われているが、上記従来のカセットでは、前者の例にあっては、カセット本体を片手で押さえ、蓋の舌片状係止部あたりにもう一方の手を掛けて開けなければならず、また、後者の例においては、文献にも記載されているように、蓋の突縁部に親指をかけた状態で蓋の略中央部を人差し指で少し押圧し中央部の両側を若干反り返らせることにより蓋の係止片をカセット本体の係止部から離脱させて蓋を開いていた。
【０００８】
しかるに、上記のように、高温溶融状態のパラフィン処理を行ったカセット本体から検体を素手で取り出すには、カセットが冷却されてから行う必要があり、従って、この冷却時間中は作業を中断せざるを得なかった。しかし、実際の作業現場においては、作業能率が重要視されるためカセットが完全に冷却される前、即ち、カセットがまだ高温状態のときに行われるの通例であり、作業性が悪く、場合によっては火傷をするという問題を有していた。
【０００９】
本発明は、上記諸課題に鑑み、検体を入れたカセットが高温の状態であっても、ピンセットによりカセット本体から蓋を容易に、安定的に、且つ安全に離脱させ、検体を取り出しパラフィン包埋作業に移行し得る、効率的なカセットを提供することを目的とする。
【００１０】
【課題を解決するための手段】
上記目的を達成するために、本発明の第１は、カセット本体と蓋とを具備してなり、前記カセット本体が上面を開放し、多数の透孔を有し、検体を収容し得る方形の容器からなり、前記蓋が多数の透孔を有してなり、前記蓋と前記カセット本体とが係合手段により着脱自在に取り付けられてなる医療検査用カセットにおいて、前記係合手段の少なくとも１つが、前記カセット本体の側壁上部に設けられた係止部Ａと前記蓋の裏面に垂設された係止部Ｂとからなり、該蓋の係止部Ｂの外側に、ピンセット操作孔を設けたことを特徴とする医療検査用カセットを内容とする（請求項１）。
【００１１】
また、本発明の第２は、カセット本体と蓋とを具備してなり、前記カセット本体が上面を開放し、多数の透孔を有し、検体を収容し得る方形の容器からなり、前記蓋が多数の透孔を有してなり、前記蓋と前記カセット本体とが係合手段により着脱自在に取り付けられてなる医療検査用カセットにおいて、前記係合手段の少なくとも１つが、前記カセット本体の側壁上部に設けられた係止部Ａと前記蓋の裏面に垂設された係止部Ｂとからなり、該係止部Ａと係止部Ｂとが係合した状態において係止部Ａ、Ｂ間にピンセット挿入孔を有するとともに、前記挿入孔に連通するピンセット操作孔を前記蓋に設けたことを特徴とする医療検査用カセットを内容とする（請求項２）。
【００１２】
好ましい態様としての請求項３は、ピンセット操作孔とピンセット挿入孔とが、実質的に面一に構成されている請求項２記載の医療検査用カセットである。
【００１３】
好ましい態様としての請求項４は、係合手段が設けられている側の反対側に、ピンセット押さえ孔が設けられている請求項１〜３のいずれか１項に記載の医療検査用カセットである。
【００１４】
好ましい態様としての請求項５は、カセット本体が複数の小室に区画されている請求項１〜４のいずれか１項に記載の医療検査用カセットである。
【００１５】
好ましい態様としての請求項６は、蓋及び／又はカセット本体が耐薬品性の透明材料からなる請求項１〜５のいずれか１項に記載の医療検査用カセットである。
【００１６】
好ましい態様としての請求項７は、透明材料がポリプロピレン樹脂である請求項１〜６のいずれか１項に記載の医療検査用カセットである。
【００１７】
好ましい態様としての請求項８は、透明材料がポリエステル樹脂である請求項１〜６のいずれか１項に記載の医療検査用カセットである。
【００１８】
【作用】
本発明の医療検査用カセットは、底部に多数の透孔を有し、検体を収容し得る方形の容器であるカセット本体の側壁上部には係止部Ａを設け、また、多数の透孔を有してなる蓋には、その裏面に係止部Ｂを垂設すると共に、係止部Ｂの外側に、ピンセット操作孔を設けたことにより、カセット本体に蓋を被着して係止部ＡとＢを係合した状態からピンセット操作孔にピンセットを挿入して蓋の先端を軽く上方に反らすように操作することにより簡単に係合部ＡとＢとの係合を解除し、蓋を開けることが可能となる。
【００１９】
また、前述同様のカセット本体を備え、蓋の裏面にはさらに係止部Ｂを垂設すると共に、カセット本体の係止部Ａと蓋の係止部Ｂとが係合した状態において、係止部ＡとＢとの間に、ピンセットが挿入可能なピンセット挿入孔を形成し、且つ、このピンセット挿入孔に連通するピンセット操作孔を前記蓋に設けたことにより、カセット本体から蓋を取る際は、蓋に設けられたピンセット操作孔を介し、ピンセット挿入孔にピンセットを挿入し僅かに押圧すれば、係止部Ｂは外側に変形して、係止部Ａと係止部Ｂとの係合は容易に解除され、蓋を開けることができる。
【００２０】
また、ピンセット操作孔とピンセット挿入孔とは、実質的に面一に形成されることにより、ピンセットはピンセット操作孔から係止部内にスムーズに挿入され、係止部ＡとＢとの係合はスムーズに解除される。
【００２１】
さらに、係合手段が設けられている側の反対側に、ピンセット押さえ孔を設けることにより、このピンセット押さえ孔に、もう一方の手に持ったピンセットを挿入してカセット本体を軽く押しつけて動かないように固定した状態で、前述の開蓋操作を行うことができる。
【００２２】
また、カセット本体、蓋のいずれかが、又はその両方が透明材料で作成されることにより、蓋のみが透明材料からなる場合は蓋の外側から、また、カセット本体のみが透明材料からなる場合はカセット本体（側壁又は底部）の外側から、更に、カセット本体と蓋の両方が透明材料からなる場合は、カセット本体及び蓋の両方の外側から、内部の検体の状況を視認することができる。即ち、カセット内部に収容した検体の状況（大きさ、個数、形状、色、カセット本体内での存在位置、濾紙とともに検体を収容した場合は、濾紙の位置、濾紙上の検体の方向等）を明確に視認することができ、顕微鏡標本作成の効率化、確実化を図るとともに、精度の高い検査結果を得ることができる。
【００２３】
【発明の実施の形態】
以下、本発明の医療検査用カセットの実施例を図面に基づいて説明するが、本発明はこれらにより何等限定されるものではない。
【００２４】
実施例１
図１は、本発明の医療検査用カセットの上面図、図２はカセットから蓋の部分を取り外して上から視たときのカセット本体の上面図、図３は医療検査用カセットの中心線断面図、図４はカセット本体に蓋を被着して係合する係止部Ａ、Ｂの拡大断面図（図１のＳで示した部分）である。
【００２５】
図１〜図４に示したように、本発明の医療検査用カセットは、耐薬品性合成樹脂からなるカセット本体１と蓋２とを具備してなり、カセット本体１は、上面を開放した方形の容器で、底部に多数の透孔３を有し、短辺側の一側壁の外側に底部に向かって末広がり状に傾斜した板状の記録部４を有し、その内側に係止溝５を有し、さらにカセット本体１の他の側壁の外側に係止部Ａ６を有する。
【００２６】
また、カセット本体１の上面に嵌合される蓋２は、着脱可能な板状体で、板面に多数の透孔７を有し、裏面の外周面に沿ってカセット本体１内に嵌合するリブ８を有し、短辺側の一方側には前記係止溝５の記録部４の裏面に沿って嵌入係合する傾斜状係止片９を有し、さらに、短辺側の他方側には    カセット本体１よりも僅かに大きめの突縁部１０を有し、該突縁部１０に近接した蓋２の裏面から垂設され係止部Ａ６と係合する係止部Ｂ１１を有するとともに、該係止部Ｂ１１の外側には、ピンセットの先端部１２ａが挿入できる大きさのピンセット操作孔１２を設けている。
【００２７】
以上は、カセット本体１の内部を区画しない状態の容積最大の基本的なカセットであるが、複数の検体を収容し得るカセットを得るには、カセット本体を壁部材で仕切って２以上の小室を形成する。例えば、図示するように、カセット本体１及び蓋２の内部に、壁部材１４を縦及び／又は横に配置して小室１３を形成する。図２では９個の小室１３を形成するように壁部材１４を配置した場合を示したが、９個に限定されず、２個〜１０個程度の小室が形成されるように壁部材１４を配置するのが好ましい。
また、図３では、蓋２の裏面に設けた壁部材１４とカセット本体１に設けた壁部材１４とが対接している例を示したが、これに限定されず、蓋２の裏面には壁部材１４を設けず、カセット本体１に設けた壁部材１４を高くする、蓋２の裏面に壁部材１４を２列設け、カセット本体１に設けた壁部材１４を挟着する等により、小室１３を画成することも可能である。
【００２８】
上記のカセットにおいて、カセット本体１の側壁上部に設けられた係止部Ａ６と蓋の裏面に垂設された係止部Ｂ１１とが係合した状態から、この係合状態を解除させるには、図４に示したように、蓋２の突縁部１０に設けられたピンセット操作孔１２にピンセットの先端部１２ａを挿入し、矢印で示した方向にカセット１の内側下方に僅かの力を作用させることにより、係止部Ｂ１１は２点鎖線で示したように変形（１１ａで示す）して係止部Ａ６から離脱しカセット本体１から蓋２を容易に取り去ることができる。
【００２９】
この場合、ピンセットを操作するときに作用する力の方向が、カセットの中心側に向いているため、この蓋２を開くという作業を片手で行うことが可能であり、これによって、この蓋を開くという作業は、カセットが冷却されるまで待つことなく、まだ熱い中にピンセットを用いて蓋を容易且つ安全に、開くことが出来る。
【００３０】
なお、ピンセット操作孔１２の形状を図１では円形として示しているが、この形に拘ることなく、図４の矢印で示したように、カセット１の内側下方に僅かの力を作用させる際、カセットの長辺方向の中心線上にその作用点があれば良く、したがって、使用されるピンセットの先端部１２ａの形状に合わせて楕円形、矩形等その形を決定すればよい。
【００３１】
また、ピンセット操作孔１２の個数を１個として示しているが、２個セットにした操作孔１２ｂ（図１に２点鎖線で示す）を設けておけば、ピンセットの２本の足の１本づつを、それぞれのピンセット操作孔１２ｂに挿入することができるので、前述と同様にピンセット先端部１２ａを操作した場合にピンセットの２本の足を挿入して操作できるため、一層安定した開蓋作業が可能となる。
【００３２】
また、本発明のカセットの材料は、標本作成に使用する化学薬品に対して耐性を有する合成樹脂や金属が好ましく、例えば、ポリアセタール、ポリアミド、ポリカーボネート、ポリエステル、ポリプロピレン、ステンレス等が挙げられ、透明材料としては、例えば、ポリプロピレン樹脂、ポリエステル（特にＰＥＴ）樹脂が好適であり、とりわけ耐薬品性に優れ低コストという点からポリプロピレン樹脂が好適である。
【００３３】
実施例２
図５は、本実施例の医療検査用カセットの中心線断面図である。前述した実施例１の医療検査用カセットにおいては、図３に示したように、係止部Ａ、Ｂの反対側には、カセット本体１に設けた係止溝５に蓋２の傾斜状係止片９を嵌入して係合する形態のカセットを示したが、本実施例ではこれとは異なり、形状同一の係止部Ａ６、係止部Ｂ１１が蓋２の両側に設けられている。
【００３４】
すなわち、カセット本体１は、底部に透孔３を有し、底部から立設した両側壁の上部には、それぞれ同一形状の係止部Ａ６を有している。一方、このカセット本体１と被着し嵌合する蓋２には、透孔７を有し、裏面にはカセット本体１と嵌合するリブ８を有し、その両側には、前記カセット本体１に設けられた係止部Ａ６とそれぞれ係合する係止部Ｂ１１が設けられている。さらに、どちらか一方の係止部側で蓋２から僅かに延設した突縁部１０には、ピンセット操作孔１２が設けられ、他方の係止部Ｂ１１側には蓋２にピンセット押さえ孔１５が設けられている。
【００３５】
かかる構成によれば、カセット本体１から蓋２を開けるには、まず、ピンセット押さえ孔１５に片手に持った押さえ用ピンセット１６を略鉛直方向に挿入して、カセット本体１の側壁上面１７を軽く押圧して動かないように固定しておき、もう一方の手に持った二本目のピンセットの先端部１２ａを反対側のピンセット操作孔１２に挿入し、矢印に示したように、ピンセットに力が作用するように操作する。これによって、高温状態のカセットであっても、手を触れることなく、ピンセットで容易に且つ安全に蓋を開くことが可能となる。
【００３６】
なお、本実施例のように、蓋２にピンセット押さえ孔１５を設け、このピンセット押さえ孔１５の反対側に設けたピンセット操作孔１２に二本目のピンセットの先端部１２ａを挿入して蓋を開ける形態は、前述の実施例１に適用してもよいことは勿論である。
【００３７】
実施例３
図６は、本実施例のカセットの上面図、図７は、カセット本体から蓋の部分を取り外して上から視たときのカセット本体の上面図、図８は、カセット本体に蓋を被着して係合した状態における係止部Ａ、Ｂの拡大断面図である。
上記実施例１においては、図４に示したように蓋２の突縁部１０にピンセット操作孔１２を設け、この孔１２にピンセットの先端部１２ａを挿入して蓋２を開ける形態のカセットを示したが、本実施例は、このピンセット操作孔１２の替わりに、係止部Ａ６と係止部Ｂ１１とが係合した状態において係止部Ａ、Ｂ間にピンセット挿入孔１８を形成すると共に、該ピンセット挿入孔１８に連通するピンセット操作孔１２を蓋２に設けるとともに、カセット本体１にピンセット押さえ孔１９が穿設している。
【００３８】
更に詳述すると、カセット本体１の側壁上部に設けられた係止部Ａ６と蓋２の裏面に垂設された係止部Ｂ１１とが係合した状態おいて、ピンセット挿入孔１８が設けられている。そして、ピンセット操作孔１２の外側立設面１２ｃと係止部Ｂ１１の内側面１１ｂとは、実質的に面一に形成され、また、この面にそれぞれ対向する蓋２に穿設されている前記ピンセット操作孔１２と係止部Ａ６とも連続して面一に形成された傾斜面６ａを有し、これがいわば、テーパー状のピンセット誘導路を形成し、これによってピンセットはピンセット操作孔１２からピンセット挿入孔１８内にスムーズに誘導される。
【００３９】
上記カセットにおいて、カセット本体１から蓋を開くには、係止部Ａ６、係止部Ｂ１１の反対側に設けたピンセット押さえ孔１９から片手に持った押さえ用ピンセット１６を鉛直方向に挿入して、カセット本体１の側壁上面１７を軽く押圧して動かない状態にしておき（図６参照）、続いて、図８に示したように、もう一方の手に持った二本目のピンセットの先端部１２ａをピンセット操作孔１２からピンセット挿入孔１８に挿入する。そして、ピンセット挿入孔１８に挿入されたピンセット１２ａを、そのまま軽く係止部Ｂ１１の方向に押圧することによって、係止部Ａ、Ｂは図の二点鎖線に示す如く変形し容易に離脱する。
【００４０】
なお、この形態においても、実施例１で説明したと同様の位置、すなわち、蓋２の短辺側にカセット本体１よりも僅かに大きめの突縁部１０を設け、この突縁部１０に、二つ目のピンセット操作孔１２を並設し、いずれの方法でも開蓋できるようにしても良いことは勿論である。
【００４１】
実施例４
図９は、本実施例のカセット本体に蓋を被着して係合した状態における係止部Ａ、Ｂの拡大断面図である。なお、本実施例においても、実施例３で説明したと同様のピンセット押さえ孔１９が、係止部Ａ、Ｂの配設位置と反対側に設けられているという前提で説明する。
本実施例は前述の実施例３で説明したピンセットの挿通を誘導するテーパー状のピンセット誘導路に替え、係止部Ａ６の上面を面取りして面取部６ｂを設け、且つこの面取部６ｂの上縁に連通するように、ピンセット操作孔１２を前記蓋２に設けた点を除いては、実施例３の場合と同様である。
これによって、本実施例では、ピンセットの先端部１２ａがピンセット操作孔１２からピンセット挿入孔１８内に挿入された後、さらに押し込むように力を加えれば、係止部Ｂ１１は図９の二点鎖線で示したように変形（１１ａ）して係止部Ａ６から離脱し、前述と同様に、高温状態のカセットには手を触れることなく、ピンセットの操作だけで蓋を開けることができる。
【００４２】
実施例５
図１０は、本実施例のカセット本体に蓋を被着して係合した状態における係止部Ａ、Ｂの拡大断面図である。なお、本実施例においても、実施例３で説明したと同様のピンセット押さえ孔１９が、係止部Ａ、Ｂの配設位置と反対側に設けられているという前提で説明する。
本実施例は前述の実施例３で説明したピンセットの挿通を誘導するテーパー状のピンセット誘導路に替え、係止部Ａ６の上面に略垂直部６ｃを設け、且つこの略垂直部６ｃの上縁に連通するように、ピンセット操作孔１２を前記蓋２に設けた点を除いては、実施例３の場合と同様である。
これによって、本実施例では、ピンセットの先端部１２ａがピンセット操作孔１２からピンセット挿入孔１８内に略垂直に挿入された後、さらに押し込むように力を加えれば、係止部Ｂ１１は図９の二点鎖線で示したように変形（１１ａ）して係止部Ａ６から離脱し、前述と同様に、高温状態のカセットには手を触れることなく、ピンセットの操作だけで蓋を開けることができる。
【００４３】
【発明の効果】
叙上のように、本発明の医療検査用カセットによれば下記の如き特徴及び効果を有する。
請求項１に記載のカセットにおいて、カセット本体に蓋が被着して係止部Ａ、Ｂが係合した状態を解除するには、係止部Ｂの外側の蓋に設けたピンセット操作孔にピンセットを挿入して、該蓋の先端を軽く上方に反らすようにピンセットを操作するだけで簡単に係止部Ａ、Ｂの係合を離脱することが可能となる。
【００４４】
また、請求項２に記載のカセットにおいては、蓋に設けられたピンセット操作孔を介し、ピンセット挿入孔にピンセットを挿入し、続いて僅かに押し込むように操作するだけで、係止部Ｂは外側に変形するので、係止部Ａと係止部Ｂとの係合を容易に解くことができる。
【００４５】
さらに、係合手段が設けられている側の反対側に、ピンセット押さえ孔を設けたことにより、まずこのピンセット押さえ孔に片方の手に持ったピンセットで軽く押しつけてカセットを固定し、もう一方の手にもったピンセットをピンセット挿入孔に挿入して、僅かに押し込めば同様に係止部Ａ、Ｂの係合は容易に解くことができる。
【００４６】
よって、検体を入れたカセットが高温溶融状態のパラフィン処理を行った後、まだ高温の状態であっても、ピンセットによって、カセットから蓋を容易に、且つ安全に取り去ることができ、従って、カセットが冷却されるまで待つことなく検体をカセットから取り出して次の工程に進めるので、作業性が飛躍的に高められる。
【図面の簡単な説明】
【図１】本発明の実施例１における医療検査用カセットの上面図である。
【図２】同医療検査用カセットから蓋を取り外して上から視たときのカセット本体の上面図である。
【図３】同医療検査用カセットの中心線断面図である。
【図４】同医療検査用カセットの係止部Ａ、Ｂの拡大断面図である。
【図５】本発明の実施例２における医療検査用カセットの中心線断面図である。
【図６】本発明の実施例３における医療検査用カセットの上面図である。
【図７】同医療検査用カセットから蓋を取り外して上から視たときのカセット本体の断面図である。
【図８】同医療検査用カセットの係止部Ａ、Ｂの拡大断面図である。
【図９】本発明の実施例４における医療検査用カセットの係止部Ａ、Ｂの拡大断面図である。
【図１０】本発明の実施例５における医療検査用カセットの係止部Ａ、Ｂの拡大断面図である。
【符号の説明】
１  カセット本体
２  蓋
３    透孔
４  記録部
５  係止溝
６  係止部Ａ
６ａ  傾斜面
６ｂ  面取部
６ｃ  略垂直部
７  透孔
８  リブ
９  傾斜状係止片
１０    突縁部
１１  係止部Ｂ
１１ａ  変形後の係止部Ｂ
１１ｂ  内側面
１２  ピンセット操作孔
１２ａ  ピンセットの先端部
１２ｂ  ２個セットの操作孔
１２ｃ  外側立設面
１３  小室
１４  壁部材
１５  ピンセット押さえ孔
１６  押さえ用ピンセット
１７    側壁上面
１８  ピンセット挿入孔
１９  ピンセット押さえ孔
【図１】
2004279243.tif 000003
【図２】
2004279243.tif 000004
【図３】
2004279243.tif 000005
【図４】
2004279243.tif 000006
【図５】
2004279243.tif 000007
【図６】
2004279243.tif 000008
【図７】
2004279243.tif 000009
【図８】
2004279243.tif 000010
【図９】
2004279243.tif 000011
【図１０】
2004279243.tif 000012